(57)【要約】【課題】簡単な構造のアウタシャフトによって、ステントの留置を効率的に行うことができる、新規な構造のステントデリバリーカテーテルを提供すること。【解決手段】アウタディスタルシャフト２０にメインシャフト２２の遠位端を差し入れて固着し、メインシャフト２２に挿通されたコアシャフト３４の遠位端をアウタディスタルシャフト２０に挿入されたインナディスタルシャフト４４に連結すると共に、インナディスタルシャフト４４をメインシャフト２２に軸直角方向で重ね合わせる。ステント２８の留置時にインナディスタルシャフト４４の近位端をメインシャフト２２の遠位端よりも遠位まで相対移動させると共に、インナディスタルシャフト４４の近位端面とメインシャフト２２の遠位端面との少なくとも一方には、インナディスタルシャフト４４とメインシャフト２２の重ね合わせ面から離れるに従って軸方向に突出するように傾斜するガイド面５４を設けた。【選択図】図２
2016030033.tif 000002
【特許請求の範囲】
【請求項１】
アウタシャフトにインナシャフトが挿通された構造を有しており、該アウタシャフトがアウタディスタルシャフトを備えていると共に、該アウタディスタルシャフトにはステントが収縮状態で収容されており、該アウタシャフトを該インナシャフトに対して近位に引き込むことで該ステントが該アウタディスタルシャフトから遠位に排出されて拡張されるようにしたステントデリバリーカテーテルにおいて、
前記アウタシャフトが前記アウタディスタルシャフトにメインシャフトの遠位端を差し入れて固着した構造を有しており、
該メインシャフトには前記インナシャフトを構成するコアシャフトが挿通されて、該コアシャフトの遠位端が該アウタディスタルシャフトに挿入されていると共に、
該インナシャフトを構成するインナディスタルシャフトが該アウタディスタルシャフトに挿入されて、該インナディスタルシャフトが該メインシャフトから遠位に突出する該コアシャフトに連結されていると共に、該インナディスタルシャフトの近位端が該メインシャフトに軸直角方向で重ね合わされており、
該ステントを該アウタディスタルシャフトから遠位に排出する際に、該インナディスタルシャフトの近位端が該メインシャフトの遠位端よりも遠位まで相対移動するようになっていると共に、
該インナディスタルシャフトの近位端面と該メインシャフトの遠位端面との少なくとも一方には、それらインナディスタルシャフトとメインシャフトの重ね合わせ面から離れるに従って軸方向に突出するように傾斜したガイド面が設けられていることを特徴とするステントデリバリーカテーテル。
【請求項２】
前記インナディスタルシャフトの近位端面に前記メインシャフトから離れるに従って近位に傾斜するガイド面が設けられていると共に、該インナディスタルシャフトが樹脂単体で形成されている請求項１に記載のステントデリバリーカテーテル。
【発明の詳細な説明】
【技術分野】
【０００１】
本発明は、ステントを血管等の体内管腔に留置する際に用いられるステントデリバリーカテーテルに関するものである。
【背景技術】
【０００２】
従来から、血管等の体内管腔の病変部にステントを留置する際に用いられるステントデリバリーカテーテルが知られている。ステントデリバリーカテーテルは、アウタシャフトにインナシャフトが挿通された構造を有しており、アウタシャフトに収容されたステントが、アウタシャフトとインナシャフトの軸方向での相対変位によって拡張状態で排出されるようになっている。具体的には、例えば、特開２０１２−５５４７０号公報（特許文献１）では、遠位チューブがプッシャワイヤに対して近位に引き込まれることで、プッシャワイヤに連結されたガイドワイヤ誘導チューブとそれに取り付けられたステント圧迫部材とが遠位チューブに対して遠位に相対移動して、ステントが遠位チューブから遠位に拡張状態で排出されるようになっている。
【０００３】
ところで、特許文献１のステントデリバリーカテーテルでは、アウタシャフトが近位チューブと中間チューブと遠位チューブとを軸方向に連接することで形成されている。更に、遠位チューブと近位チューブがシングルルーメン構造とされて、遠位チューブが近位チューブよりも大径とされていると共に、中間チューブがダブルルーメン構造とされている。そして、中間チューブの一方のルーメンにプッシャワイヤが挿通されていると共に、中間チューブの他方のルーメンにガイドワイヤ誘導チューブが挿通されている。
【０００４】
しかしながら、特許文献１のように、構造や大きさの異なる複数のチューブを連接した構造のアウタシャフトを採用すると、単純なチューブで構成されたシングルルーメンのアウタシャフトに比して構造が複雑であることから、製造時の作業工程数の増加や、各チューブの境界部分での応力集中などが問題になるおそれがあった。
【先行技術文献】
【特許文献】
【０００５】
【特許文献１】特開２０１２−５５４７０号公報
【発明の概要】
【発明が解決しようとする課題】
【０００６】
本発明は、上述の事情を背景に為されたものであって、その解決課題は、簡単な構造のアウタシャフトによって、ステントの留置を効率的に行うことができる、新規な構造のステントデリバリーカテーテルを提供することにある。
【課題を解決するための手段】
【０００７】
以下、このような課題を解決するために為された本発明の態様を記載する。なお、以下に記載の各態様において採用される構成要素は、可能な限り任意の組み合わせで採用可能である。
【０００８】
先ず、本発明者は、より簡単な構造のアウタシャフトを用いたステントデリバリーカテーテル１００を検討した。即ち、図１３に示すように、アウタシャフトとして、単純なシングルルーメンのメインシャフト１０４の遠位端が、同じくシングルルーメンのアウタディスタルシャフト１０６に挿入されて、それらメインシャフト１０４とアウタディスタルシャフト１０６が周上で部分的に固着された構造を検討した。更に、図１３の検討構造では、インナシャフトを構成するコアシャフト１０８がメインシャフト１０４に挿通されてアウタディスタルシャフト１０６内に突出されると共に、インナシャフトを構成するインナディスタルシャフト１１０がアウタディスタルシャフト１０６に挿入配置されて、それらコアシャフト１０８とインナディスタルシャフト１１０が相互に連結される。そして、アウタシャフトがインナシャフトに対して近位に引き込まれることにより、アウタディスタルシャフト１０６に収容されたステントが、アウタディスタルシャフト１０６から遠位に排出されて展張されるようになっている。
【０００９】
ところが、このような構造のステントデリバリーカテーテル１００では、ステントの留置に際して、コアシャフト１０８に連結されたインナディスタルシャフト１１０が、アウタシャフトに対して遠位に相対変位することから、ステント留置後にアウタシャフトがコアシャフト１０８に対して遠位に押し込まれると、インナディスタルシャフト１１０の近位端が、メインシャフト１０４の遠位端に引っ掛かる場合があった。即ち、ステントの留置時にインナディスタルシャフト１１０の近位端がメインシャフト１０４の遠位端よりも遠位まで相対変位すると、ステント留置後にインナディスタルシャフト１１０をアウタディスタルシャフト１０６に収容する際に、図１３に示すように、インナディスタルシャフト１１０の近位端がメインシャフト１０４の遠位端に軸方向で当接係止されて、インナディスタルシャフト１１０の遠位端がアウタディスタルシャフト１０６に収容され難くなるおそれがあった。
【００１０】
このような新たに生じた課題を解決することも目的として為された本発明の第１の態様は、アウタシャフトにインナシャフトが挿通された構造を有しており、該アウタシャフトがアウタディスタルシャフトを備えていると共に、該アウタディスタルシャフトにはステントが収縮状態で収容されており、該アウタシャフトを該インナシャフトに対して近位に引き込むことで該ステントが該アウタディスタルシャフトから遠位に排出されて拡張されるようにしたステントデリバリーカテーテルにおいて、前記アウタシャフトが前記アウタディスタルシャフトにメインシャフトの遠位端を差し入れて固着した構造を有しており、該メインシャフトには前記インナシャフトを構成するコアシャフトが挿通されて、該コアシャフトの遠位端が該アウタディスタルシャフトに挿入されていると共に、該インナシャフトを構成するインナディスタルシャフトが該アウタディスタルシャフトに挿入されて、該インナディスタルシャフトが該メインシャフトから遠位に突出する該コアシャフトに連結されていると共に、該インナディスタルシャフトの近位端が該メインシャフトに軸直角方向で重ね合わされており、該ステントを該アウタディスタルシャフトから遠位に排出する際に、該インナディスタルシャフトの近位端が該メインシャフトの遠位端よりも遠位まで相対移動するようになっていると共に、該インナディスタルシャフトの近位端面と該メインシャフトの遠位端面との少なくとも一方には、それらインナディスタルシャフトとメインシャフトの重ね合わせ面から離れるに従って軸方向に突出するように傾斜したガイド面が設けられていることを、特徴とする。
【００１１】
第１の態様によれば、ステントの留置時にメインシャフトの遠位端よりも遠位に位置するインナディスタルシャフトの近位端が、ステント留置後にアウタシャフトをインナシャフトに対して遠位に押し込む際に、メインシャフトの遠位端に引っ掛かるのを防ぐことができる。即ち、インナディスタルシャフトの近位端面とメインシャフトの遠位端面との少なくとも一方に、所定の方向へ傾斜するガイド面を形成することにより、インナディスタルシャフトの近位端面とメインシャフトの遠位端面が軸方向に当接する場合に、インナディスタルシャフトとメインシャフトを軸直角方向で相互に引き離す案内作用が発揮される。かかる案内作用によって、インナディスタルシャフトの近位端面とメインシャフトの遠位端面との軸方向での係止が速やかに解除されて、インナディスタルシャフトがメインシャフトを外れた外側にスムーズに案内されることから、ステント留置後の手技の容易化が図られる。
【００１２】
本発明の第２の態様は、第１の態様に記載のステントデリバリーカテーテルにおいて、前記インナディスタルシャフトの近位端面に前記メインシャフトから離れるに従って近位に傾斜するガイド面が設けられていると共に、該インナディスタルシャフトが樹脂単体で形成されているものである。
【００１３】
第２の態様によれば、ガイド面を備えるインナディスタルシャフトを、ワイヤを編組した編組スリーブなどを持たない樹脂単体で形成されたものとすることにより、インナディスタルシャフトの近位部分を容易に斜めに切断することができる。それ故、インナディスタルシャフトの軸直角方向に対して傾斜して広がるガイド面を、インナディスタルシャフトの近位端面に対して簡単に且つ精度良く形成することができる。
【発明の効果】
【００１４】
本発明によれば、インナディスタルシャフトの近位端面とメインシャフトの遠位端面との少なくとも一方に、所定の向きに傾斜するガイド面が設けられていることにより、インナディスタルシャフトとメインシャフトが軸方向で当接する場合に、それらインナディスタルシャフトとメインシャフトの軸方向での係止が、ガイド面の案内作用によって速やかに解除される。その結果、ステント留置後にインナディスタルシャフトをアウタディスタルシャフトに収容する手技が、インナディスタルシャフトとメインシャフトの引っ掛かりによって妨げられることなく実現可能となって、スムーズな手技の進行を助けることができる。
【図面の簡単な説明】
【００１５】
【図１】本発明の第１の実施形態としてのステントデリバリーカテーテルを示す側面図。
【図２】図１に示すステントデリバリーカテーテルの遠位部分の要部を拡大して示す縦断面図。
【図３】図２のＩＩＩ−ＩＩＩ断面図。
【図４】図２のＩＶ−ＩＶ断面図。
【図５】図２のＶ−Ｖ断面図。
【図６】図２のＶＩ−ＶＩ断面図。
【図７】図２のＶＩＩ−ＶＩＩ断面図。
【図８】図２に示すステントデリバリーカテーテルの遠位部分の要部拡大図において、ステントを排出した状態を示す縦断面図。
【図９】図２に示すステントデリバリーカテーテルの遠位部分の要部拡大図において、ステント排出後にアウタシャフトとインナシャフトを初期位置に戻した状態を示す縦断面図。
【図１０】図２に示すステントデリバリーカテーテルの遠位部分の要部を更に拡大して示す縦断面図であって、インナディスタルシャフトとメインシャフトが軸方向に当接した状態を示す図。
【図１１】本発明の別の一実施形態としてのステントデリバリーカテーテルの遠位部分の要部を拡大して示す縦断面図であって、ステント排出前の初期状態と、インナディスタルシャフトとメインシャフトが軸方向に当接した状態とを、それぞれ示す。
【図１２】本発明のまた別の一実施形態としてのステントデリバリーカテーテルの遠位部分の要部を拡大して示す縦断面図であって、インナディスタルシャフトとメインシャフトが軸方向に当接した状態を示す。
【図１３】本発明に至る過程において検討したステントデリバリーカテーテルの一態様を示す縦断面図であって、ステント排出前の初期状態と、インナディスタルシャフトとメインシャフトが軸方向に当接した状態とを、それぞれ示す。
【発明を実施するための形態】
【００１６】
以下、本発明の実施形態について、図面を参照しつつ説明する。
【００１７】
図１には、本発明の第１の実施形態としてのステントデリバリーカテーテル（以下、カテーテルと称する）１０が示されている。カテーテル１０は、柔軟なシャフト１２を備えており、シャフト１２がアウタシャフト１４にインナシャフト１６を挿通した構造を有している。
【００１８】
より詳細には、アウタシャフト１４は、近位端を構成するチューブ状のアウタプロキシマルシャフト１８と、遠位端を構成する大径チューブ状のアウタディスタルシャフト２０とを、チューブ状のメインシャフト２２によって相互に接続した構造を有している。図２，３に示すように、メインシャフト２２の遠位端部分は、アウタディスタルシャフト２０に挿入されており、外周面の一部がアウタディスタルシャフト２０の内周面に重ね合わされて溶着等の手段で固着されている。また、アウタディスタルシャフト２０の近位開口部は、メインシャフト２２の挿通領域を外れた領域がポート２３とされており、ポート２３が後述するガイドワイヤルーメン４６の近位開口部を構成している。本実施形態のアウタディスタルシャフト２０は、近位端面がメインシャフト２２との固着部分に向かって次第に近位へ傾斜する傾斜面とされている。
【００１９】
なお、アウタプロキシマルシャフト１８と、アウタディスタルシャフト２０との、各形成材料は、特に限定されるものではないが、例えば、アウタプロキシマルシャフト１８とアウタディスタルシャフト２０は、ポリイミド単体で形成される。更に、メインシャフト２２の形成材料は、Ｎｉ−Ｔｉ合金やエンジニアリングプラスチックなどで形成された編組スリーブをポリイミドのチューブに埋設固着したブレードチューブが、好適に採用される。
【００２０】
さらに、アウタプロキシマルシャフト１８の近位端には、アウタコネクタ２４が直列的に接続されており、アウタコネクタ２４の近位端には、Ｙコネクタ２６が直列的に接続されている。
【００２１】
また、図２に示すように、アウタディスタルシャフト２０には、ステント２８が収容配置されている。ステント２８は、全体として略円筒形状を有する網状体とされており、ジグザグに屈曲しながら全周に亘って延びる環状のセル３０が、軸方向に複数配されていると共に、軸方向に隣り合って配されたセル３０，３０が、周上の複数箇所に一体形成された繋ぎ３２によって相互に連結された構造を有している。更に、ステント２８は、弾性的に変形可能な構造及び材料で形成されており、縮径変形された収縮状態でアウタディスタルシャフト２０に収容されている。なお、本実施形態のステント２８は、Ｎｉ−Ｔｉ合金などの形状記憶合金で形成されており、後述するようにアウタディスタルシャフト２０から排出されることによって、自動的に拡径変形して拡張状態で留置される自己拡張型ステントとされている。
【００２２】
インナシャフト１６は、図２，４に示すように、コアシャフトとしてのハイポチューブ３４を備えている。ハイポチューブ３４は、アウタシャフト１４を構成するメインシャフト２２に挿通されており、遠位端がメインシャフト２２から突出してアウタディスタルシャフト２０に挿入されていると共に、近位部分がアウタコネクタ２４およびＹコネクタ２６に挿通されている。なお、コアシャフトは、螺旋状などのスリットによって柔軟性や耐キンク性を向上させた金属製のハイポチューブ３４に限定されるものではなく、例えば、ポリイミド等で形成されたチューブに、金属や樹脂の線材を編組した編組スリーブを固着したブレードチューブなども、コアシャフトとして採用され得る。
【００２３】
さらに、ハイポチューブ３４の近位端には、図１に示すように、チューブ状のインナプロキシマルシャフト３６が外挿されている。インナプロキシマルシャフト３６は、遠位端が二股に分岐したＹコネクタ２６の近位開口部の一方に差し入れられていると共に、近位端にはインナコネクタ３８が接続されている。なお、インナプロキシマルシャフト３６に挿通されるハイポチューブ３４の近位端は、インナコネクタ３８に接続されている。
【００２４】
更にまた、ハイポチューブ３４よりも遠位には、略厚肉筒状の押し子チューブ４０が配されて、アウタディスタルシャフト２０に対して摺動可能に収容されている。更に、押し子チューブ４０の遠位端には、白金とイリジウムの合金等といったＸ線不透過性の金属で形成された第１の造影マーカー４２が、内周面に固着されている。
【００２５】
また、インナシャフト１６は、インナディスタルシャフト４４を備えている。インナディスタルシャフト４４は、図２，５，６に示すように、ガイドワイヤルーメン４６を構成する中心孔を備えた樹脂製のチューブであって、アウタディスタルシャフト２０に挿入されている。また、インナディスタルシャフト４４の近位開口部は、アウタディスタルシャフト２０内に位置して開口しており、ガイドワイヤルーメン４６がポート２３を通じて外部に連通されている。なお、インナディスタルシャフト４４は、編組スリーブで補強されたブレードチューブも採用可能であるが、後述するガイド面５４の形成容易性などの観点から樹脂単体で形成されることが望ましく、例えば、ポリエーテルエーテルケトン（ＰＥＥＫ）やポリイミド等で形成された単層チューブが、破断強度が大きく且つ伸縮し難いことから、好適に採用される。
【００２６】
さらに、インナディスタルシャフト４４の軸方向の中間部分が、メインシャフト２２から遠位に突出したハイポチューブ３４の遠位端部分に周上の一部で重ね合わされて、溶着等の手段でハイポチューブ３４に連結されている。本実施形態において、相互に固着されるインナディスタルシャフト４４の中間部分とハイポチューブ３４の遠位端部分には、図７に示すように、カバーチューブ４８が外挿されている。そして、カバーチューブ４８が溶着等の手段でインナディスタルシャフト４４とハイポチューブ３４の両方に固着されることによって、インナディスタルシャフト４４とハイポチューブ３４がより強固に固着されている。更に、カバーチューブ４８は、遠位端が押し子チューブ４０に溶着等の手段で固着されており、押し子チューブ４０と一体的に接続されている。
【００２７】
更にまた、インナディスタルシャフト４４は、ハイポチューブ３４の遠位に配された押し子チューブ４０に挿通固着されていると共に、押し子チューブ４０よりも遠位でステント２８に挿通されている。更に、インナディスタルシャフト４４の遠位端は、ステント２８よりも遠位で先端チップ５０に固着されている。先端チップ５０は全体として筒状とされており、先端チップ５０がインナディスタルシャフト４４の遠位端に略同一中心軸上で接続されることによって、先端チップ５０の中心孔がガイドワイヤルーメン４６の遠位端を構成している。更に、先端チップ５０は、近位端がアウタディスタルシャフト２０の遠位開口部に着脱自在に嵌め入れられている。なお、先端チップ５０の近位端には、第１の造影マーカー４２と同様の第２の造影マーカー５２が、内周面に固着されている。
【００２８】
さらに、ステント２８がアウタディスタルシャフト２０に収容された初期状態において、インナディスタルシャフト４４の近位端がメインシャフト２２の遠位端よりも近位に位置しており、インナディスタルシャフト４４とメインシャフト２２が軸直角方向で重なり合っている。更に、インナディスタルシャフト４４とメインシャフト２２は、非固着でオーバーラップしており、軸方向に相対変位可能とされている。また、インナディスタルシャフト４４とメインシャフト２２のオーバーラップ長さ（図２中のＬ1 ）は、ステント２８の近位端からアウタディスタルシャフト２０の遠位端までの長さ（図２中のＬ2 ）よりも小さくされている。
【００２９】
さらに、インナディスタルシャフト４４の近位端面は、ガイド面５４とされている。ガイド面５４は、図２に示すように、インナディスタルシャフト４４のメインシャフト２２への重ね合わせ面から離れるに従って近位に傾斜する傾斜面であって、例えば、インナディスタルシャフト４４の近位端を斜めに切断することで形成されている。本実施形態では、インナディスタルシャフト４４が編組スリーブを固着することなく樹脂単体で形成された単層チューブとされていることから、近位端を斜めに切断し易くなっており、ガイド面５４を精度良く且つ簡易に形成することができる。
【００３０】
このような構造とされたカテーテル１０は、例えば血管の病変部等に差し入れると共に、アウタシャフト１４をインナシャフト１６に対して軸方向に相対変位させることにより、血管の病変部に拡張状態のステント２８を留置できるようになっている。即ち、先ず、病変部に挿通されるように血管に予め差し入れられた図示しないガイドワイヤを、先端チップ５０の先端からガイドワイヤルーメン４６に挿入して、ポート２３から外部に突出させることにより、ガイドワイヤルーメン４６に挿通させる。そして、造影によって第１,
第２の造影マーカー４２，５２を確認しながら、ステント２８を収容したカテーテル１０の遠位端部分を、ガイドワイヤに沿って血管に挿入して病変部まで押し進める。
【００３１】
次に、インナシャフト１６に接続されたインナコネクタ３８を保持しながら、アウタシャフト１４に接続されたアウタコネクタ２４およびＹコネクタ２６を近位に引き込むことにより、アウタディスタルシャフト２０をインナディスタルシャフト４４に対して近位へ相対移動させる。これにより、インナディスタルシャフト４４に固着された押し子チューブ４０が、アウタディスタルシャフト２０に対して相対的に遠位に移動して、図８に示すように、押し子チューブ４０の遠位に配されたステント２８がアウタディスタルシャフト２０から遠位に排出される。このようにしてアウタディスタルシャフト２０からステント２８を遠位に押し出すことにより、ステント２８が拡径変形して、拡張状態で血管の病変部に留置されるようになっている。
【００３２】
かかるステント２８の排出時には、図８に示すように、インナディスタルシャフト４４の近位端が、メインシャフト２２の遠位端よりも遠位まで相対移動するようになっている。これにより、インナディスタルシャフト４４とメインシャフト２２のオーバーラップが解除されて、それらインナディスタルシャフト４４とメインシャフト２２が軸方向で相互に離隔する。
【００３３】
また、ステント２８の留置後に、アウタシャフト１４をインナシャフト１６に対して遠位に変位させることにより、図９に示すように、アウタディスタルシャフト２０を拡張されたステント２８に挿通して、アウタディスタルシャフト２０の遠位開口部に先端チップ５０を再嵌合させる。これにより、アウタシャフト１４とインナシャフト１６は、図９に示す初期の相対位置に復帰する。このようにステント２８の留置後にアウタシャフト１４をインナシャフト１６に対して遠位に相対変位させる際には、インナディスタルシャフト４４の近位端は、メインシャフト２２の遠位端を越えて近位に相対移動する必要がある。
【００３４】
本実施形態では、インナディスタルシャフト４４の近位端面がガイド面５４とされており、インナディスタルシャフト４４の近位端がメインシャフト２２の遠位端を越える際に、ガイド面５４の案内作用によって、インナディスタルシャフト４４の近位端面とメインシャフト２２の遠位端面との引っ掛かりが回避されるようになっている。
【００３５】
すなわち、ステント２８の留置時にインナディスタルシャフト４４のメインシャフト２２に対するオーバーラップが解除されると、例えば、インナディスタルシャフト４４の近位端部分が自重によって弾性変形する場合がある。このような場合などには、ステント２８の留置後にアウタシャフト１４をインナシャフト１６に対して遠位に相対変位させると、図１０に示すように、インナディスタルシャフト４４の近位端面とメインシャフト２２の遠位端面が当接し得る。
【００３６】
ここにおいて、インナディスタルシャフト４４の近位端面が、軸直角方向に対して傾斜するガイド面５４とされていることから、ガイド面５４とメインシャフト２２の遠位端面が軸方向で当接すると、インナディスタルシャフト４４がメインシャフト２２とアウタディスタルシャフト２０の間に案内される。換言すれば、ガイド面５４とメインシャフト２２の遠位端面が軸方向で当接すると、インナディスタルシャフト４４とメインシャフト２２の間には、軸直角方向の分力が作用する。かかる分力によって、インナディスタルシャフト４４とメインシャフト２２が、相互に離隔する軸直角方向に案内されて、インナディスタルシャフト４４とメインシャフト２２の軸方向での当接係止が、速やかに解除されるようになっている。
【００３７】
このように、インナディスタルシャフト４４の近位端面とメインシャフト２２の遠位端面との軸方向の引っ掛かりが、ガイド面５４の案内作用によって回避されることにより、アウタシャフト１４とインナシャフト１６を軸方向にスムーズに相対変位させることができて、手技の円滑な進行を助けることができる。
【００３８】
また、メインシャフト２２とインナディスタルシャフト４４がアウタディスタルシャフト２０に差し入れられることにより、メインシャフト２２によってハイポチューブ３４が挿通されるルーメンが形成されると共に、インナディスタルシャフト４４を用いてガイドワイヤルーメン４６が形成される。それ故、アウタディスタルシャフト２０をシングルルーメンの単純なチューブ形状とすることができて、各シャフト２０，２２，４４を何れも簡単な構造とすることができる。しかも、メインシャフト２２がアウタディスタルシャフト２０に差し入れられて、メインシャフト２２とアウタディスタルシャフト２０が軸方向である程度の長さに亘って固着されていることにより、それらメインシャフト２２とアウタディスタルシャフト２０を簡単な作業によって十分な強度で固着することができる。
【００３９】
以上、本発明の実施形態について詳述してきたが、本発明はその具体的な記載によって限定されない。例えば、前記実施形態では、インナディスタルシャフト４４の近位端面にガイド面５４が形成されていたが、図１１に示すように、メインシャフト６０の遠位端面に対して、インナディスタルシャフト６４との重ね合わせ面から離れるに従って軸方向に突出するように傾斜するガイド面６２が、形成されていても良い。要するに、インナディスタルシャフトの近位端面とメインシャフトの遠位端面との少なくとも一方に、インナディスタルシャフトとメインシャフトの重ね合わせ面から離れるに従って軸方向に突出するように傾斜したガイド面が設けられていれば良い。なお、図１１では、インナディスタルシャフト６４の近位端面は、略軸直角方向に広がっているが、ガイド面５４が形成されていても良く、インナディスタルシャフトの近位端面とメインシャフトの遠位端面との両方にガイド面を形成した構造も採用され得る。
【００４０】
さらに、前記実施形態では、ガイド面５４がインナディスタルシャフト４４の近位端面の全体に形成されているが、例えば図１２に示すインナディスタルシャフト７０のガイド面７２のように、インナディスタルシャフト７０の近位端面におけるメインシャフト２２への重ね合わせ側の端部に、ガイド面７２が部分的に形成されていても良い。なお、このことは、ガイド面がメインシャフトの遠位端面に形成される場合にも同様であり、その場合には、メインシャフトの遠位端面におけるインナディスタルシャフトへの重ね合わせ側端部に、ガイド面が部分的に形成され得る。
【００４１】
更にまた、ガイド面は、一定の傾斜角度で平面的に広がっていても良いし、傾斜角度が徐々に乃至は段階的に変化していても良い。
【００４２】
また、コアシャフトはチューブ状に限定されず、ワイヤ状であっても良い。
【００４３】
また、本発明は、自己拡張型のステントを病変部に留置するステントデリバリーカテーテルだけに適用されるものではなく、バルーン拡張型のステントを病変部に留置するステントデリバリーカテーテルにも適用可能である。
【符号の説明】
【００４４】
１０：ステントデリバリーカテーテル、１４：アウタシャフト、１６：インナシャフト、２０：アウタディスタルシャフト、２２，６０：メインシャフト、２８：ステント、３４：ハイポチューブ（コアシャフト）、４４，６４，７０：インナディスタルシャフト、５４，６２，７２：ガイド面
【図１】
2016030033.tif 000003
【図２】
2016030033.tif 000004
【図３】
2016030033.tif 000005
【図４】
2016030033.tif 000006
【図５】
2016030033.tif 000007
【図６】
2016030033.tif 000008
【図７】
2016030033.tif 000009
【図８】
2016030033.tif 000010
【図９】
2016030033.tif 000011
【図１０】
2016030033.tif 000012
【図１１】
2016030033.tif 000013
【図１２】
2016030033.tif 000014
【図１３】
2016030033.tif 000015